(57)【特許請求の範囲】
【請求項１】
第１面と、第２面と、これらの第１面と第２面との間に介装された少なくとも１つの外部導電性シールドと、前記第１面から第２面に延びるレセプタクル端子からなる複数の導電部材とを有するハウジングを備えたレセプタクルと、中間壁と、
対向する内面を持つほぼ平行な端壁とからなり、これらの対向する内面の一方が前記外部導電性シールドに当接し、前記中間壁がこれらの対向する平行な端壁間に介装され、前記中間壁は第１面と第２面とを有し、中間壁の第１面はレセプタクルの第２面に近接し、複数の通路が中間壁の第１，第２面間に延び、複数の導電性信号ピンが配置され、これらの複数の導電性信号ピンが前記通路を中間壁の第１，第２面間で１つづつ貫通してプリント基板に係合する導電性ハウジングを備えたヘッダと、
前記ヘッダの中間壁の前記第２面の溝に取付けられる垂直面を有する絶縁プレートとを具備し、この絶縁プレートと一体の複数の絶縁スリーブがこの絶縁プレートからほぼ垂直に延び、これらの絶縁スリーブは前記中間壁の第１，第２面間で通路の１つづつに配置され、前記絶縁スリーブが前記導電性信号ピンのそれぞれと中間壁との間に介装され、接地ピンがヘッダの導電性ハウジングに取付けられ、この導電性ハウジングから延び、前記絶縁プレートのほぼ垂直面を貫通し、プリント基板に係合する、電気コネクタ。
【請求項２】
前記接地ピンは、ヘッダの導電性ハウジングに取付けられる請求項１に記載の電気コネクタ。
【請求項３】
前記接地ピンは、少なくとも１つの導電性ピンを備える請求項２に記載の電気コネクタ。
【請求項４】
前記ヘッダの中間壁は、溝を形成され、前記設置ピンがこの溝内に配置される請求項２に記載の電気コネクタ。
【請求項５】
前記溝は、中間壁の第２面上に配置される請求項４に記載の電気コネクタ。
【請求項６】
第１面と、第２面と、これらの第１面と第２面との間に介装された少なくとも１つの外部導電性シールドと、前記第１面から第２面に延びるレセプタクル端子からなる複数の導電部材とを有するハウジングを備えたレセプタクルと、
中間壁と、対向する内面を持つほぼ平行な端壁とからなり、これらの対向する内面の一方が前記外部導電性シールドに当接し、前記中間壁がこれらの対向する平行な端壁間に介装され、前記中間壁が第１面と第２面とを有し、中間壁の第１面はレセプタクルの第２面に近接し、複数の通路がこの中間壁の第１，第２面間に延び、複数の導電性信号ピンが配置され、これらの複数の導電性信号ピンが前記通路を中間壁の第１，第２面間で１つづつ貫通してプリント基板に係合する導電性ハウジングを備えたヘッダと、
前記中間壁の第２面の溝に取付けられる水平面を有する絶縁プレートとを具備し、この絶縁プレートと一体の複数の絶縁スリーブがこの絶縁プレートからほぼ垂直に延び、これらの絶縁スリーブは前記中間壁の第１，第２面間で通路の１つづつに配置され、前記絶縁スリーブが導電性信号ピンのそれぞれと中間壁との間に介装され、接地ピンがヘッダの導電性ハウジングに取付けられ、この導電性ハウジングから延び、前記絶縁プレートの水平面を貫通し、プリント基板に係合する、電気コネクタ。
【発明の詳細な説明】
発明の背景
１．発明の分野  本発明は電気コネクタに関し、より詳細には、ドータボードをマザーボードに接続するために使用するモジュラコネクタに関する。
２．従来技術の簡単な説明  コンピュータおよび他の種々の電子装置を製造する際、ドータボードは、レセプタクルを有するコネクタによりマザーボードに結合されるのが一般的であり、このレセプタクルはプラスチック製のハウジングと第１，第２面とを有し、端子が一方の面でドータボードに結合され、マザーボードに結合されたヘッダに、他方の面で結合される。このようなコネクタをマザーボードあるいはドータボードに接地すなわちアース接続するための種々の装置が提案されているが、しかし、このような装置はコネクタの構造を複雑にする傾向がある。したがって、コネクタをマザーボードとドータボードとの間で接地するための簡単でかつ安価な手段が必要とされている。更に、クロストーク及び電磁干渉（ＥＭＩ）を減少するコネクタが必要とされている。
発明の概要
本発明の電気コネクタでは、レセプタクルがドータボードに結合される。このレセプタクルは、第１面と第２面とドータボードの第１面から第２面に延びる複数の端子とを有し、この第２面にシールド付きヘッダとのインターフェースが配置される。ヘッダは２つの端部壁と中間壁とを有し、好適な合金であるのが好ましい導電性材料を備える。複数の孔が中間壁を貫通して延び、レセプタクル内の端子に接触する信号ピンを保持する。中間壁に第１，第２面が設けられる。第１面はレセプタクルの第２面とインターフェースを取る（interfaces）。第２面はプリント基板に当接する。第２面上には、複数の凹部が設けられ、これらの凹部内に導電ピンが圧入され、コネクタを接地する。ヘッダの端壁の内側には、更に、軸方向溝が設けられ、これらの軸方向溝は取外し可能なばねを保持し、これらのばねはレセプタクルのシールドに接触し、更にコネクタを接地する。
【図面の簡単な説明】
第１図は、本発明のコネクタのレセプタクル部材の側部立面図、
第２図は、本発明のコネクタのヘッダ部材の側部立面図、
第３図は、本発明のコネクタを形成する係合状態のレセプタクル及びヘッダ部材の側部立面図、
第４図は、第１図のレセプタクル部材の底面図、
第５図は、第１図のレセプタクル部材の端面図、
第６図は、第１図のレセプタクルの斜視図、
第７図は、プリント基板に固定した状態でその一部を示す第３図の対応する領域の詳細図、
第８図は、第２図に示すヘッダの平面図、
第９図は、第２図に示すヘッダの前面図、
第１０図は、第２図に示すヘッダの底面図、
第１１図は、第２図に示すヘッダの背面図、
第１２図は、第８図のＸII−ＸII線に沿う断面図、
第１３図は、第８図のＸIII−ＸIII線に沿う断面図、
第１４図は、第１１図の円ＸIVで囲む領域の詳細図、
第１５図は、第２図に示すヘッダの斜視図。
好ましい実施例の詳細な説明
図を参照すると、レセプタクルは全体を符号１０で示し、シールド付きヘッダは全体を符号１２で示してある。特に第１図から第６図を参照すると、レセプタクルは全体を符号１４で示すハウジングを備え、このハウジングは第１平坦面１６と第２平坦面１８とを有する。符号２０で示すような端子２０が第１平坦面から第２平坦面に向け、通路２１を通り、そして、符号２２で示すような凹部を通って延びる。ハウジングは、頂部の金属シールド２４と底部の金属シールド２６とを備える。更に、ハウジングはアライメント用リブ２８，３０とコードキー（code key）ホルダ３２，３４とを備える。アース接続は接地ピン３６，３７，３８を介して行われ、端子と共にプリント基板のドータボード４２にレセプタクルを固定するために、プレスペグ４０が用いられる。特に第２図、および第８図から第１５図を参照すると、ヘッダは端部壁４４，４６と中間壁４８とを備え、この中間壁は端部壁間に垂直に介装されている。この中間壁は第１平坦面５０と第２平坦面５２とを備える。ヘッダ１０は、好適な合金のダイカスト製品でよい。通路５４は、中間壁を横断して第１平坦面から第２平坦面に横方向に延び、絶縁プレート５７と一体に形成される絶縁スリーブ５６を設けられている。導電性信号ピン５８がこれらの通路を貫通し、レセプタクル内の符号２２で示すような凹部内に配置され、端子２０に係合する。中間壁の第２平坦面上には、この中間壁の一部のみを貫通する凹部５９，６０が設けられ、これらの凹部内に、特に第１４図に示すように接地ピン６２，６４が圧入され、信号ピンは肩部６３と基部絶縁リング６５とを有する。他の接地ピン６６，６８は、中間壁の第２平坦面における他の同様な凹部に係合する。各接地ピン用の複数の電位位置（potential position）を設け、接地ピンを自由に選択的に配置できるようにするために、更に凹部を追加することが好ましい。接地ピンは、絶縁プレート５７内の符号６９で示すようなスロットを貫通する。端壁４４，４６の内側に、それぞれ中央垂直溝７０，７２が設けられる。中央垂直溝７０内には、金属のコンタクトばね７４が設けられ、このコンタクトばねは頂部ロック部７６を有し、この頂部ロック部は溝の側部に係合し、溝内に圧入される。凹状部７８は、内方に延びた後、溝内に戻り、垂直部８０および下側ロック部８２も、溝に係合し、溝内に圧入される。垂直溝７２も金属性ばね８４を有し、この金属性ばねは上側ロック部８６と凹状部８８と垂直部９０と下側ロック部９２とを有する。垂直溝７０の両側には、側部垂直溝９４，９６が設けられ、これらの垂直溝はレセプタクルのリブ２８，３０と係合する整合作用をなす（alignment features）。ばねコンタクト７４，８４は、これらのばねコンタクトが装着される溝から取外し可能であり、使用されるレセプタクルの特性にしたがって選択的に使用することができる。端壁４６は、更に溝９７を含み、この溝はコネクタを製造する際に有用なものであるが、しかし、その後は機能しない。この端壁は、更に押圧ピン４０を収容するために、その内側に凹部９８を有する。特に第１０図に示すように、ヘッダのピンは、符号１０２で示すような孔を介してマザーボードであるプリント基板１００に結合される。
上述のコネクタは、極めて大きな予期し得ないほど良好なクロストークおよびＥＭＩの減少特性を有すると考えられる。このコネクタは、このコネクタが取付けられるプリント基板に対して、容易かつ安価に接地される。
本発明について種々の図面に示す好ましい実施例について説明してきたが、本発明から逸脱することなく、本発明の上述の機能をなすために他の同様な実施例を用い、あるいは、変更し、追加することも可能ことは明らかである。したがって、本発明はいずれかの単独の実施例に制限されるものではなく、添付の請求の範囲に従う幅および範囲内で規定されるものである。
【図１】
0003761897.tif 000002
【図３】
0003761897.tif 000003
【図２】
0003761897.tif 000004
【図９】
0003761897.tif 000005
【図４】
0003761897.tif 000006
【図７】
0003761897.tif 000007
【図５】
0003761897.tif 000008
【図６】
0003761897.tif 000009
【図８】
0003761897.tif 000010
【図１０】
0003761897.tif 000011
【図１１】
0003761897.tif 000012
【図１４】
0003761897.tif 000013
【図１２】
0003761897.tif 000014
【図１３】
0003761897.tif 000015
【図１５】
0003761897.tif 000016